(57)【要約】【課題】  撮像素子のパッケージとカバーガラスとの間にできる平面部が狭い場合でも、光学フィルターと撮像素子とを確実に密閉構造にすることができる撮像装置を提供する。【解決手段】  防塵ゴム（４）に撮影光軸中心に向けて伸びる押圧部（４ｄ）を設け、この押圧部（４ｄ）に撮像素子（５）のパッケージ（５ａ）の外周角部（５ｂ）或いは撮像素子（５）のカバーガラス（５ｃ）の外周角部（５ｄ）を当接させて、光学フィルター（４）と撮像素子（５）とを確実に密閉構造にすることができ、光学フィルター（３）と撮像素子（５）との間にゴミなどの異物の侵入を防止する。【選択図】  図４
2008193574.tif 000002
【特許請求の範囲】
【請求項１】
撮影レンズを透過した被写体光束を受光して光電変換する撮像素子と、該撮像素子の受光面に照射される光において高周波ノイズ成分をカットする光学フィルターと、前記撮像素子と前記光学フィルターとの間を密閉する防塵部材を有する撮像装置において、
前記防塵部材に撮影光軸中心に向けて伸びる押圧部を設け、前記押圧部と前記撮像素子の外周角部を当接させたことを特徴とするバリア装置。
【請求項２】
前記撮像素子の外周角部と当接する前記押圧部の面に斜面を形成したことを特徴とする請求項１のバリア装置。
【請求項３】
前記撮像素子の外周角部はパッケージの角部であることを特徴とする請求項１のバリア装置。
【請求項４】
前記撮像素子の外周角部はカバーガラスの角部であることを特徴とする請求項１のバリア装置。
【発明の詳細な説明】
【技術分野】
【０００１】
本発明は、光学フィルターと撮像素子との間に侵入するゴミなどの異物を防止することができる撮像装置に関するものである。
【背景技術】
【０００２】
従来、この種の撮像装置には、光学フィルターと撮像素子との間に弾性部材であるフィルター・素子押えを介在させた状態で光学フィルター、および撮像素子を撮像素子ホルダーの開口部の後方から挿入し固定する構造が一般的である。これは光学フィルターと撮像素子との間でなく、撮像素子ホルダーと撮像素子との間でもよい。
【０００３】
このような撮像装置は、フィルター・素子押えの一方を撮像素子のパッケージ平面部に当接させ、他方を光学フィルターの平面部、或いは撮像素子ホルダーの平面部に当接させることで光学フィルターと撮像素子との間を密閉構造にしたものがある（特許文献１参照）。
【特許文献１】特開平５−２０３８６４号公報（第６頁、図４）
【発明の開示】
【発明が解決しようとする課題】
【０００４】
しかしながら、特許文献１においては、撮像素子のパッケージが小さくなるとＣＣＤチップとボンディングワイヤを保護するカバーガラスとパッケージとの間にできる平面部が狭くなる。撮像素子のパッケージ平面部にフィルター・素子押えを当接させていることからである。
【０００５】
撮像素子のパッケージ平面部が狭くなると、フィルター・素子押えを当接させることが困難になる。そうすると、フィルター・素子押えの位置ズレが発生する。この位置ズレは、撮影レンズを透過した被写体光束がフィルター・素子押えによりケラレるいった問題が生じる。また、確実に光学フィルターと撮像素子を密閉構造することができないといった問題も生じる。
【０００６】
そこで本発明は、撮像素子のパッケージが小さくなり撮像素子のパッケージとカバーガラスとの間にできる平面部が狭い場合でも、光学フィルターと撮像素子を確実に密閉構造にすることができことを目的とする。ひいては、光学フィルターと撮像素子との間に侵入するゴミなどの異物を防止することができる撮像装置を提供することを目的とする。
【課題を解決するための手段】
【０００７】
本発明の撮像装置は、撮影レンズを透過した被写体光束を受光して光電変換する撮像素子と、該撮像素子の受光面に照射される光において高周波ノイズ成分をカットする光学フィルターと、前記撮像素子と前記光学フィルターとの間を密閉する防塵部材を有する撮像装置において、前記防塵部材に撮影光軸中心に向けて伸びる押圧部を設け、前記押圧部と前記撮像素子の外周角部を当接させたことを特徴としている。
【０００８】
また、本発明の他の特徴とするところは、前記撮像素子の外周角部と当接する前記押圧部の面に斜面を形成したことを特徴としている。
【０００９】
また、本発明の他の特徴とするところは、前記撮像素子の外周角部はパッケージの角部であることを特徴としている。
【００１０】
また、本発明の他の特徴とするところは、前記撮像素子の外周角部はカバーガラスの角部であることを特徴としている。
【発明の効果】
【００１１】
以上説明したように、光学フィルターと撮像素子とを確実に密閉構造にすることができ、光学フィルターと撮像素子との間にゴミなどの異物の侵入を防止することができる。
【発明を実施するための最良の形態】
【００１２】
（実施例１）
以下、図面を参照して、本発明の実施形態について詳細に説明する。まず、図１から図３を用いて本実施形態に係るバリア装置について説明する。
【００１３】
１は不図示のレンズ鏡筒を支持する固定地板で、レンズ鏡筒を固定する面と対向する位置に撮像素子を収納する凹形状した収納室１ａが形成されている。また収納室１ａには後述する防塵部材としての防塵ゴム４のフランジ部４ａと当接する平面部１ｂが形成されている。
【００１４】
２は被写体光線の入射光量を決定し、かつ有害光線を削除する開口部２ａが形成されたマスクで、固定地板１の収納室１ａ内に配置されている。
【００１５】
３は撮像素子５の受光面に照射される光において高周波ノイズ成分をカットする光学フィルターで、マスク２の後方に位置し固定地板１の収納室１ａ内に配置され、防塵ゴム４の押圧部４ｂにより固定地板１に支持されている。
【００１６】
４は光学フィルター３と撮像素子５との間にゴミなどの異物の侵入を防止する弾性力を有する防塵ゴムで、光学フィルター３の後方に位置し固定地板１の収納室１ａ内に配置され、撮像素子５を固定地板に取り付けることにより固定地板１に支持されている。
【００１７】
この防塵ゴム４は、一方が固定地板１と他方が撮像素子５と当接させることで防塵ゴム４の弾性力が発生する。この弾性力利用して固定地板１と撮像素子５との間を密閉構造にしている。
【００１８】
固定地板１と撮像素子５とを密閉構造することで、光学フィルター３と撮像素子５との間も密閉構造になる。
【００１９】
この防塵ゴム４には、押圧部４ｂ（図２参照）と、押圧部４ｄとが形成されている。押圧部４ｂは、固定地板１の平面部１ｂと当接するフランジ部４ａ（図２参照）と、光学フィルター３を固定地板１に押圧する撮影光軸中心に向けて４辺から伸びている。押圧部４ｄは、押圧部４ｂと対向する位置に撮像素子５の外周角部（図３参照）と当接する斜面４ｃを有する撮影光軸中心に向けて伸びている。
【００２０】
５は撮影レンズを透過した被写体光束を受光して光電変換する撮像素子で、不図示の基板とを接続するフレキシブル基板６に半田付けされ、接着により支持板７に固定され固定地板１の収納室１ａ内に配置されている。
【００２１】
この撮像素子５は、パッケージ５ａ内に配置されたＣＣＤチップとボンディングワイヤを保護するパッケージ５ａよりサイズが小さいカバーガラス５ｃが貼り付けられている。
【００２２】
６は撮像素子５と不図示の基板とを接続するフレキシブル基板で、撮像素子５と後述する支持板７との間に配置されている。こフレキシブル基板６には接着剤が通過する開口部６ａが形成されている。
【００２３】
７は撮像素子５を固定地板１に支持する支持板で、ビス８により固定地板１に支持されている。この支持板７には、開口部７ａが形成されておりこの開口部７ａに接着剤を塗布することで支持板７と撮像素子５とが固定される。
【００２４】
次に図３及び図４から図５を用いて本実施形態に係る光学フィルターと撮像素子との密閉構造について説明する。
【００２５】
図３に示すように撮像素子５のパッケージサイズが小さくなり、カバーガラス５ｃが貼り付けられる。そうすると、パッケージ５ａとカバーガラス５ｃとの間にできる平面部Ａが狭くなる。すると、この平面部Ａに防塵ゴム４のフランジ部を当接させて光学フィルター４と撮像素子５を密閉構造にすることが困難になる。
【００２６】
そこで、図４に示すように撮像素子５を被写体側とは反対方向Ａに移動（図中矢印方向）させた場合は、撮像素子５のカバーガラス５ｃの外周角部５ｄと防塵ゴム４の押圧部４ｄの斜面４ｃが当接する。他方は防塵ゴム４のフランジ部４ａが固定地板１の平面部１ｂと当接する。
【００２７】
この当接により光学フィルター４と撮像素子５との間を密閉構造にしている。
【００２８】
また、図５に示すように撮像素子５を被写体側方向Ｂに移動（図中矢印方向）させた場合は、防塵ゴム４の押圧部４ｄの斜面４ｃが撮像素子５のカバーガラス５ｃの外周角部５ｄにより押され、防塵ゴム４の押圧部４ｄが弾性変形する。
【００２９】
この弾性変形により、撮像素子５のカバーガラス５ｃの外周角部５ｄが防塵ゴム４の押圧部４ｄの斜面４ｃ外れ、撮像素子５のパッケージ５ａの外周角部５ｂと防塵ゴム４の押圧部４ｄの斜面４ｃが当接する。他方は防塵ゴム４のフランジ部４ａが固定地板１の平面部１ｂと当接する。
【００３０】
この当接により光学フィルター４と撮像素子５との間を密閉構造にしている。
【００３１】
本実施形態では、撮像素子５の繰出し状態において防塵ゴム４の押圧部４ｄの斜面４ｃと撮像素子５のカバーガラス５ｃの外周角部５ｄが当接する構成となっている。あるいは、撮像素子５の繰込み状態において防塵ゴム４の押圧部４ｄの斜面４ｃと撮像素子５のパッケージ５ａの外周角部５ｂが当接する構成になっている。この点、防塵ゴム４の押圧部４ｄの斜面４ｃに撮像素子５のパッケージ５ａの外周角部５ｂと、カバーガラス５ｃの外周角部５ｄを同時に当接させる構成にしても構わない。
【００３２】
上記説明したように、防塵ゴム４に斜面４ｃを有する撮影光軸中心に向けて伸びる押圧部４ｄを設けてもよい。この斜面４ｃに撮像素子５のパッケージ５ａの角部５ｂ或いは撮像素子５のカバーガラス５ｃの角部５ｄを当接させる。これにより、撮像素子５のパッケージサイズが小さくなる。すると、カバーガラス５ｃが貼り付けられたパッケージ５ａの平面部Ａが狭い場合でも、光学フィルター４と撮像素子５とを確実に密閉構造にすることができる。光学フィルター３と撮像素子５との間にゴミなどの異物の侵入を防止することができる。
【００３３】
本実施形態において、防塵ゴム４に斜面４ｃを形成しているが、斜面４ｃが形成されない押圧部４ｄであっても構わない。
【図面の簡単な説明】
【００３４】
【図１】本発明の実施形態１に係る撮像素子支持構成を示す分解斜視図である。
【図２】本発明の実施形態１に係る光学フィルター押圧部を示す防塵ゴムの斜視図である。
【図３】本発明の実施形態１に係る撮像素子の斜視図である。
【図４】本発明の実施形態１に係る撮像素子を繰込み状態を示す断面図である。
【図５】本発明の実施形態１に係る撮像素子を繰出し状態を示す断面図である。
【符号の説明】
【００３５】
１  固定地板
１ｂ、Ａ  平面部
３  光学フィルター
４  防塵ゴム（防塵部材）
４ａ  フランジ部
４ｂ、４ｄ  押圧部
４ｃ  斜面部
５  撮像素子
５ａ  パッケージ
５ｂ、５ｄ  外周角部
５ｃ  カバーガラス
７  支持板
【図１】
2008193574.tif 000003
【図２】
2008193574.tif 000004
【図３】
2008193574.tif 000005
【図４】
2008193574.tif 000006
【図５】
2008193574.tif 000007